(57)【要約】【課題】  複数の役物ユニットの組合せ・連結態様を多様化させることにより、遊技盤の仕様変更・仕様増加を容易にするとともに、このような変更・増加に伴う構造の複雑化を防止して生産コストの上昇を抑制することのできる遊技機用役物の接続・取付構造を提供する。【解決手段】  左右組合せ役物３０Ｌ，３０Ｒは、それぞれ入賞機能を備える左右入賞役物ユニット１０Ｌ，１０Ｒと装飾・表示機能を備える左右装飾役物ユニット２０Ｌ，２０Ｒとから構成されている。各組合せ役物３０Ｌ，３０Ｒは、内側に位置する入賞役物ユニット１０Ｌ，１０Ｒと外側に位置する装飾役物ユニット２０Ｌ，２０Ｒとが組み合わせられ連結されて、入賞機能及び装飾・表示機能を備えている。【選択図】  図５
2006110098.tif 000002
【特許請求の範囲】
【請求項１】
遊技機で発生する遊技状態の変化に対して個別かつ直接的に関与する複数の役物ユニットを遊技盤の遊技領域内に取り付けるための遊技機用役物の接続・取付構造であって、
それぞれの役物ユニットは、賞球払出しの対象となる入賞口を有しその入賞口への入球により遊技状態を遊技者にとって有利になるように変化させる入賞機能、及びＬＥＤ等の発光手段を有しその発光手段の発光態様の変化によって遊技状態の変化を遊技者に報知又は予告する装飾・表示機能のうちの少なくとも一方の機能を備え、
前記複数の役物ユニットの少なくともいずれか１つは、前記入賞機能及び／又は装飾・表示機能を付加するためにそれ自体単独で前記遊技領域内に取り付け可能に構成され、かつ、他の役物ユニットの少なくともいずれか１つと接続部により連結され、前記入賞機能及び／又は装飾・表示機能を備える役物ユニット組合せ体として前記遊技領域内に取り付け可能に構成されることを特徴とする遊技機用役物の接続・取付構造。
【請求項２】
前記接続部は、前記複数の役物ユニットのいずれからも独立した接続部材として別体構成されている請求項１に記載の遊技機用役物の接続・取付構造。
【請求項３】
遊技機で発生する遊技状態の変化に対して個別かつ直接的に関与する複数の役物ユニットを遊技盤の遊技領域内に取り付けるための遊技機用役物の接続・取付構造であって、
それぞれの役物ユニットは、賞球払出しの対象となる入賞口を有しその入賞口への入球により遊技状態を遊技者にとって有利になるように変化させる入賞機能、及びＬＥＤ等の発光手段を有しその発光手段の発光態様の変化によって遊技状態の変化を遊技者に報知又は予告する装飾・表示機能のうちの少なくとも一方の機能を備え、
前記複数の役物ユニットには、
前記入賞機能及び／又は装飾・表示機能を付加するためにそれ自体単独で前記遊技領域内に取り付け可能に構成され、かつ、他の役物ユニットの少なくともいずれか１つと接続部により連結され、前記入賞機能及び／又は装飾・表示機能を備える役物ユニット組合せ体として前記遊技領域内に取り付け可能に構成される第一の役物ユニットと、
その第一の役物ユニットと前記接続部により連結され、前記役物ユニット組合せ体としてのみ前記遊技領域内に取り付け可能に構成され、それ自体単独では前記遊技盤に取り付け不能に構成される第二の役物ユニットと、
を含むことを特徴とする遊技機用役物の接続・取付構造。
【請求項４】
前記接続部は、外部へ突出する形態で前記第二の役物ユニットに一体的に取付構成されているか、又は前記第一及び第二の役物ユニットのいずれからも独立した接続部材として別体構成されている請求項３に記載の遊技機用役物の接続・取付構造。
【請求項５】
請求項１ないし４のいずれか１項に記載の遊技機用役物の接続・取付構造によって、前記遊技領域内に取り付けられることを特徴とする役物ユニット。
【請求項６】
請求項１ないし４のいずれか１項に記載の遊技機用役物の接続・取付構造によって、前記遊技領域内に取り付けられることを特徴とする役物ユニット組合せ体。
【請求項７】
請求項１ないし４のいずれか１項に記載の遊技機用役物の接続・取付構造によって、前記役物ユニット及び／又は役物ユニット組合せ体が前記遊技領域内に取り付けられたことを特徴とする遊技機。
【発明の詳細な説明】
【技術分野】
【０００１】
本発明は、パチンコ機等の遊技機の遊技盤に配置される遊技機用役物の接続・取付構造に関する。また、遊技機用役物の接続・取付構造に用いられる役物ユニット及び役物ユニット組合せ体に関する。さらに、遊技機用役物の接続・取付構造を用いた遊技機に関する。
【背景技術】
【０００２】
従来より、パチンコ機等の遊技機の遊技盤（遊技領域）には、多数の遊技機用役物が配置されて、遊技機で発生する遊技状態の変化に直接的に関与している。このような遊技機用役物の代表例は、入賞口（入賞機能）を有する入賞役物やＬＥＤ（発光手段；装飾・表示機能）を有する装飾役物であり、これらの遊技機用役物は遊技盤の主要位置を占め、遊技者の関心・興味を左右することが多い。また、近年、遊技機、遊技機用役物等の技術開発が活発化したことにより、あるいは市場動向の変動（遊技店の戦略転換、遊技者の嗜好変化等）や多様化（女性遊技者、高齢遊技者の増加等）に対応するために、新台導入までの期間が短縮される傾向にある。これによって、遊技機のモデルチェンジ、マイナーチェンジ、仕様増加等に伴う遊技盤の仕様変更も頻繁に行われるようになっている。
【０００３】
ところが、遊技盤上（遊技領域内）の遊技機用役物は、以前より遊技機一機種毎に特有の配置で構成される場合が一般的であり、仕様増加等の要請に対して、遊技盤（遊技領域）における遊技機用役物の配置を迅速にかつ容易に変更できないおそれがある。また、遊技機のモデルチェンジ、マイナーチェンジ等の要求に対して、遊技盤（遊技領域）における遊技機用役物の配置を迅速にかつ容易に変更できないおそれもある。
【発明の開示】
【発明が解決しようとする課題】
【０００４】
本発明の課題は、複数の役物ユニットの組合せ・連結態様を多様化させることにより、遊技盤の仕様変更・仕様増加（遊技機用役物の配置変更・増加）を容易にするとともに、このような変更・増加に伴う構造の複雑化を防止して生産（設計・製造・組合せ・取付等）コストの上昇を抑制することのできる遊技機用役物の接続・取付構造を提供することにある。また、本発明の課題は、そのような遊技機用役物の接続・取付構造に用いられる役物ユニット及び役物ユニット組合せ体、さらに、そのような遊技機用役物の接続・取付構造を用いた遊技機を提供することにある。
【課題を解決するための手段及び発明の効果】
【０００５】
上記課題を解決するために、本発明の遊技機用役物の接続・取付構造は、
遊技機で発生する遊技状態の変化に対して個別かつ直接的に関与する複数の役物ユニットを遊技盤の遊技領域内に取り付けるための遊技機用役物の接続・取付構造であって、
それぞれの役物ユニットは、賞球払出しの対象となる入賞口を有しその入賞口への入球により遊技状態を遊技者にとって有利になるように変化させる入賞機能、及びＬＥＤ等の発光手段を有しその発光手段の発光態様の変化によって遊技状態の変化を遊技者に報知又は予告する装飾・表示機能のうちの少なくとも一方の機能を備え、
前記複数の役物ユニットの少なくともいずれか１つは、前記入賞機能及び／又は装飾・表示機能を付加するためにそれ自体単独で前記遊技領域内に取り付け可能に構成され、かつ、他の役物ユニットの少なくともいずれか１つと接続部により連結され、前記入賞機能及び／又は装飾・表示機能を備える役物ユニット組合せ体として前記遊技領域内に取り付け可能に構成されることを特徴とする。
【０００６】
このような遊技機用役物の接続・取付構造によれば、複数の役物ユニットのうち少なくともいずれか１つは、単独で遊技盤（遊技領域内）に取り付けできる他、役物ユニット組合せ体としても遊技盤（遊技領域内）に取り付けできる。したがって、１つの役物ユニットを中心として他の１つ又は複数の役物ユニットを役物ユニット組合せ体として組み合わせれば、ブロック玩具や積み木のように多種の役物ユニット組合せ体を構成できるので、遊技盤の仕様（遊技機用役物の配置）を多様化することができる。また、複数の役物ユニットと複数の役物ユニット組合せ体とを遊技盤（遊技領域内）に取り付ける場合には、さらに遊技盤の仕様を多様化することができる。このように、複数の役物ユニットの組合せ・連結態様を多様化させることによって、遊技盤の仕様変更・仕様増加（遊技機用役物の配置変更・増加）が容易に行える。しかもその際、個々の役物ユニットが、入賞機能及び装飾・表示機能のいずれか一方のみを備えるように細分化できるので、そのように単機能化され小型化された役物ユニットを用いれば、役物ユニットの組合せ・連結態様ひいては遊技盤の仕様をさらに多様化させることができる。
【０００７】
そして、このような遊技機用役物の接続・取付構造に用いられる接続部を、複数の役物ユニットのいずれからも独立した接続部材として別体構成することが望ましい。これによって、役物ユニットを単独で遊技盤（遊技領域内）に取り付ける場合に、役物ユニット連結用の接続部（接続部材）が取り付け時の障害となったり、その接続部（接続部材）が取り付け後に剥き出し状態のままとなったりすることが防止される。
【０００８】
具体的には、複数の役物ユニットが、入賞機能を備える１つの入賞役物ユニットと装飾・表示機能を備える１つの装飾役物ユニットとから構成され、役物ユニット組合せ体は、両役物ユニットのいずれからも独立して別体構成された接続部材により、それら入賞役物ユニットと装飾役物ユニットとが組み合わせられ連結されて、入賞機能及び装飾・表示機能を備える場合がある。つまり、２つの役物ユニットと接続部材とから、入賞役物ユニット、装飾役物ユニット及び役物ユニット組合せ体の３種の遊技機用役物を遊技盤（遊技領域内）に選択取付でき、構造の複雑化や生産コストの上昇を抑制しつつ、遊技盤の仕様を容易に３倍に増やすことができる。
【０００９】
また、上記課題を解決するために、本発明の遊技機用役物の接続・取付構造は、
遊技機で発生する遊技状態の変化に対して個別かつ直接的に関与する複数の役物ユニットを遊技盤の遊技領域内に取り付けるための遊技機用役物の接続・取付構造であって、
それぞれの役物ユニットは、賞球払出しの対象となる入賞口を有しその入賞口への入球により遊技状態を遊技者にとって有利になるように変化させる入賞機能、及びＬＥＤ等の発光手段を有しその発光手段の発光態様の変化によって遊技状態の変化を遊技者に報知又は予告する装飾・表示機能のうちの少なくとも一方の機能を備え、
前記複数の役物ユニットには、
前記入賞機能及び／又は装飾・表示機能を付加するためにそれ自体単独で前記遊技領域内に取り付け可能に構成され、かつ、他の役物ユニットの少なくともいずれか１つと接続部により連結され、前記入賞機能及び／又は装飾・表示機能を備える役物ユニット組合せ体として前記遊技領域内に取り付け可能に構成される第一の役物ユニットと、
その第一の役物ユニットと前記接続部により連結され、前記役物ユニット組合せ体としてのみ前記遊技領域内に取り付け可能に構成され、それ自体単独では前記遊技盤に取り付け不能に構成される第二の役物ユニットと、
を含むことを特徴とする。
【００１０】
このような遊技機用役物の接続・取付構造によれば、第一の役物ユニットは、単独で遊技盤（遊技領域内）に取り付けできる他、接続部により他の第一の役物ユニット又は第二の役物ユニットと組合せ・連結された役物ユニット組合せ体としても遊技盤（遊技領域内）に取り付けできる。したがって、第一の役物ユニットを中心としてブロック玩具や積み木のように多種の役物ユニット組合せ体を構成できるので、遊技盤の仕様（遊技機用役物の配置）を多様化することができる。また、複数の第一の役物ユニットと複数の役物ユニット組合せ体とを遊技盤（遊技領域内）に取り付ける場合には、さらに遊技盤の仕様を多様化することができる。このように、複数の役物ユニットの組合せ・連結態様を多様化させることによって、遊技盤の仕様変更・仕様増加（遊技機用役物の配置変更・増加）が容易に行える。しかもその際、個々の役物ユニットが、入賞機能及び装飾・表示機能のいずれか一方のみを備えるように細分化できるので、そのように単機能化され小型化された役物ユニットを用いれば、役物ユニットの組合せ・連結態様ひいては遊技盤の仕様をさらに多様化させることができる。
【００１１】
そして、このような遊技機用役物の接続・取付構造に用いられる接続部を、外部へ突出する形態で第二の役物ユニットに一体的に取付構成するか、又は第一及び第二の役物ユニットのいずれからも独立した接続部材として別体構成することが望ましい。これによって、第一の役物ユニットを単独で遊技盤（遊技領域内）に取り付ける場合に、役物ユニット連結用の接続部（接続部材）が取り付け時の障害となったり、その接続部（接続部材）が取り付け後に剥き出し状態のままとなったりすることが防止される。
【００１２】
具体的には、第一の役物ユニットが入賞機能を備える１つの入賞役物ユニットとして構成される一方、第二の役物ユニットが装飾・表示機能を備える１つの装飾役物ユニットとして構成され、役物ユニット組合せ体は、装飾役物ユニットに一体的に取付構成された接続部により、それら入賞役物ユニットと装飾役物ユニットとが組み合わせられ連結されて、入賞機能及び装飾・表示機能を備える場合がある。つまり、入賞役物ユニット（第一の役物ユニット）を標準仕様とし、装飾役物ユニット（第二の役物ユニット）をオプション仕様（オプショナルパーツ）として設定することにより、入賞役物ユニット及び役物ユニット組合せ体の２種の遊技機用役物を遊技盤（遊技領域内）に選択取付でき、構造の複雑化や生産コストの上昇を抑制しつつ、遊技盤の仕様を容易に２倍に増やすことができる。
【００１３】
次に、上記課題を解決するために、本発明の役物ユニットは、以上のような遊技機用役物の接続・取付構造によって、遊技領域内に取り付けられることを特徴とする。
【００１４】
また、上記課題を解決するために、本発明の役物ユニット組合せ体は、以上のような遊技機用役物の接続・取付構造によって、遊技領域内に取り付けられることを特徴とする。
【００１５】
さらに、上記課題を解決するために、本発明の遊技機は、以上のような遊技機用役物の接続・取付構造によって、役物ユニット及び／又は役物ユニット組合せ体が遊技領域内に取り付けられたことを特徴とする。
【００１６】
以上のような遊技機用役物の接続・取付構造を採用することにより、このような接続・取付構造に用いられる役物ユニットや役物ユニット組合せ体を短期間で迅速に生産（設計・製造・組合せ・取付等）できるようになる。その結果、このような接続・取付構造を用いた役物ユニットや役物ユニット組合せ体が遊技盤（遊技領域内）に取り付けられた遊技機を短期間で迅速に生産（設計・製造・組合せ・取付等）できるようになる。
【００１７】
すでに説明してきたように、本明細書において「遊技機用役物」及び「役物ユニット」は、「遊技機の遊技盤（遊技領域内）に配設され、遊技機で発生する遊技状態の変化に対して個別かつ直接的に関与する遊技装置」を指し、入賞役物（入賞役物ユニット）や装飾役物（装飾役物ユニット）を含む。
【００１８】
具体的には、以下の遊技装置を含む。
（１）入賞役物（入賞役物ユニット）：賞球払出しの対象となる入賞口を有し、入賞口への入球により遊技状態を遊技者にとって有利になるように変化させる入賞機能を備える遊技機用役物をいう。例えば、遊技機用入賞口部材、遊技機用振分け入賞装置等が該当する。なお、「遊技状態を遊技者にとって有利になるように変化させること」には、入賞口への入球に基づく賞球払出しも含まれる。
（２）装飾役物（装飾役物ユニット）：ＬＥＤ等の発光手段（発光素子）を有し、発光態様の変化によって遊技状態の変化を遊技者に報知又は予告する装飾・表示機能を備える遊技機用役物をいう。例えば、遊技機用サイドランプ等が該当する。なお、「遊技状態の変化を遊技者に報知又は予告すること」には、抽選結果に基づく演出表示や確定表示は勿論、遊技者にとって不利な情報の報知（例えば、大当たり状態が途中で取り消されたことを示すパンク状態の報知）も含まれる。
（３）特殊役物（特殊役物ユニット）：種々の仕掛けを有し、遊技球の状態変化に関与する状態変化機能（特に、遊技球の径路変更に関与する径路変更機能）を備える遊技機用役物をいう。例えば、遊技機用遊技球遊動装置（スロープ、クルーン等）、遊技機用ワープ樋、遊技機用風車等が該当する。
【００１９】
これらの各役物ユニットは、遊技状態の変化に対して個別かつ直接的に関与する際電気的に処理できるため、入賞機能、装飾・表示機能、状態変化機能等を達成するための機械的駆動手段（例えば、電動モータ、ソレノイド等の駆動源やてこ機構等の動力伝達装置）を内部及び外部のいずれにも有することなく構成してもよい。このように、各役物ユニットの作動には機械的駆動手段を考慮せずにすむことによって、遊技盤の仕様変更・仕様増加に伴う構造の複雑化を防止でき、設計・製造・組合せ・取付等の各生産工程でのコスト上昇を抑制することができる。
【００２０】
ところで、「遊技装置」とは、遊技機の遊技に関わる諸装置を指し、賞球払出装置、発射装置、音声装置、遊技球や賞球の各種検知センサ等も含まれる。また、「遊技機」には、パチンコ機、アレパチ機等の弾球遊技機を含む。
【発明を実施するための最良の形態】
【００２１】
（実施例１）
以下、本発明の実施の形態を図面を参照しつつ説明する。図１、図３及び図５は、本発明を適用して遊技機用役物を遊技機の遊技盤に取り付ける態様をそれぞれ示す正面図である。図１に示すパチンコ機１００（弾球遊技機；遊技機）の遊技盤１０１の前面には、レール１０３によって略円形状の遊技領域１０２が区画形成されている。この遊技領域１０２の略中央部には、遊技中に行われる当否抽選の結果等を演出表示及び確定表示するための液晶表示部１０４が設置されている。また、液晶表示部１０４直下の遊技領域１０２には、遊技球の入球により賞球払出しが行われるとともに、当否抽選を開始させる始動入賞口１０５（スタートチャッカ）が配置されている。さらに、始動入賞口１０５直下の遊技領域１０２には、当否抽選結果が大当たりのときに、所定時間（例えば３０秒間）開放されて遊技球を入賞しやすくする大入賞口（アタッカ）１０６等が配置されている。そして、液晶表示部１０４左側の遊技領域１０２には、遊技球の入球（ゲート通過）により普通入賞状態（予備抽選開始状態）とする普通入賞口１０９（スルーチャッカ）が配置されている。
【００２２】
一方、遊技領域１０２の下側周縁部（外縁）には、大入賞口１０６を挟む形態で、一対の入賞役物ユニット１０Ｌ，１０Ｒ（役物ユニット；図１参照）、一対の装飾役物ユニット２０Ｌ，２０Ｒ（役物ユニット；図３参照）、又は一対の組合せ役物３０Ｌ，３０Ｒ（役物ユニット組合せ体；図５参照）のいずれかが左右対称に配置される。以下、遊技機用役物の配置形態及び遊技状態の変化について具体的に説明する。
【００２３】
図１及び図２に示すように、左右入賞役物ユニット１０Ｌ，１０Ｒ（役物ユニット）は、それぞれ入賞口１１（下部チャッカ）を複数（例えば２個）有している。各入賞役物ユニット１０Ｌ，１０Ｒは、遊技球の入賞口１１への入球により賞球払出しが行われて遊技状態を遊技者にとって有利になるように変化させる入賞機能を備えた多連チャッカに構成されている。また、入賞役物ユニット１０Ｌ，１０Ｒの外縁部は、遊技領域１０２の曲率半径と略等しい曲率半径を有する円弧状に形成されている。したがって、入賞役物ユニット１０Ｌ，１０Ｒは、その外縁部が遊技領域１０２の周縁部にぴったりと沿うように位置決めされ、上下両端部に貫通形成された取付孔１９（取付部）に挿通される取付ビス（図示せず）等の固定部材によって遊技盤１０１に固定されている。
【００２４】
なお、１０７は普通入賞口１０９への入球に基づく普通入賞状態での予備抽選の結果を確定表示する普通図柄表示部、１０８は当否抽選中に始動入賞口１０５へ入球した保留球数を所定数（例えば４個）までカウント表示する保留数表示部である。
【００２５】
そこで、普通入賞口１０９に遊技球が入球すると普通入賞状態となり予備抽選が行われる。その予備抽選の結果は、普通図柄表示部１０７に普通図柄として確定表示（例えば○×のＬＥＤ停止表示）される。このとき、普通図柄表示部１０７の確定表示が「当たり」（例えば○の停止表示）であると、始動入賞口１０５の羽根部材１０５ａ（回動翼片）を所定時間（例えば０．２秒間）開放する。そして、この間に遊技球が始動入賞口１０５に入球すると、賞球払出しが行われるとともに当否抽選が行われる。その当否抽選の結果は、液晶表示部１０４で演出表示（例えば各々０〜９からなる３桁の数字の変動表示）された後、特別図柄として確定表示（例えば各々０〜９からなる３桁の数字の停止表示）される。このとき、液晶表示部１０４の確定表示が「大当たり」（例えば７７７の停止表示）であると、大入賞口１０６を所定時間（例えば３０秒間）開放する。
【００２６】
図３及び図４に示すように、左右装飾役物ユニット２０Ｌ，２０Ｒ（役物ユニット）は、それぞれ多数（例えば５個）のＬＥＤからなる発光部２１（発光手段）を有している。各装飾役物ユニット２０Ｌ，２０Ｒは、発光部２１の発光態様（例えば、点灯・点滅、発光色）の変化によって遊技状態の変化を遊技者に報知又は予告する装飾・表示機能を備えたサイドランプに構成されている。また、装飾役物ユニット２０Ｌ，２０Ｒの外縁部は、遊技領域１０２の曲率半径と略等しい曲率半径を有する円弧状（三日月状）に形成されている。したがって、装飾役物ユニット２０Ｌ，２０Ｒは、その外縁部が遊技領域１０２の周縁部にぴったりと沿うように位置決めされ、上下両端部に貫通形成された取付孔２９（取付部）に挿通される取付ビス（図示せず）等の固定部材によって遊技盤１０１に固定されている。
【００２７】
なお、左装飾役物ユニット２０Ｌには、普通入賞状態での予備抽選の結果を普通図柄として確定表示する普通図柄表示部２２、当否抽選の結果を特別図柄として確定表示する特別図柄表示部２３、高確率の確率変動中か否かを表示する特定遊技状態表示部２４、及び保留球数を所定数（例えば４個）までカウント表示する保留数表示部２５も設置されている。
【００２８】
そこで、普通入賞口１０９に遊技球が入球すると普通入賞状態となり予備抽選が行われる。その予備抽選の結果は、普通図柄表示部２２に普通図柄として確定表示（例えば○×のＬＥＤ停止表示）される。このとき、普通図柄表示部２２の確定表示が「当たり」（例えば○の停止表示）であると、始動入賞口１０５の羽根部材１０５ａを所定時間（例えば０．２秒間）開放する。そして、この間に遊技球が始動入賞口１０５に入球すると、賞球払出しが行われるとともに当否抽選が行われる。その当否抽選の結果は、液晶表示部１０４と特別図柄表示部２３とを用いて遊技者に報知される。具体的には、その一例として、液晶表示部１０４で演出表示（例えば各々０〜９からなる３桁の数字の変動表示）された後、特別図柄表示部２３に特別図柄として確定表示（例えば０〜９からなる１桁の数字の停止表示）される場合がある。このとき、特別図柄表示部２３の確定表示が「大当たり」（例えば７の停止表示）であると、大入賞口１０６を所定時間（例えば３０秒間）開放する。
【００２９】
図５〜図７に示すように、左右組合せ役物３０Ｌ，３０Ｒ（役物ユニット組合せ体）は、それぞれ入賞機能を備える左右入賞役物ユニット１０Ｌ，１０Ｒ（役物ユニット）と装飾・表示機能を備える左右装飾役物ユニット２０Ｌ，２０Ｒ（役物ユニット）とから構成されている。すなわち、各組合せ役物３０Ｌ，３０Ｒは、別体構成された接続ブロック４０（接続部材；接続部）により、内側に位置する入賞役物ユニット１０Ｌ，１０Ｒと外側に位置する装飾役物ユニット２０Ｌ，２０Ｒとが組み合わせられ連結されて、入賞機能及び装飾・表示機能を備えている。具体的には、組合せ役物３０Ｌ，３０Ｒは、接続ブロック４０に貫通形成された１又は複数（例えば４個）の取付孔４８（接続部）に挿通される取付ビス４９等の固定部材（接続部材；接続部）を、左右入賞役物ユニット１０Ｌ，１０Ｒ及び装飾役物ユニット２０Ｌ，２０Ｒの背面側ボス部に形成された各々１又は複数（例えば各２個）のねじ孔１８（接続部）及びねじ孔２８（接続部）に螺合させることによって固定されている。
【００３０】
また、装飾役物ユニット２０Ｌ，２０Ｒの内縁部及び外縁部の曲率半径と入賞役物ユニット１０Ｌ，１０Ｒの外縁部の曲率半径とが、それぞれ遊技領域１０２の曲率半径と略等しい円弧状に形成されている。したがって、装飾役物ユニット２０Ｌ，２０Ｒは、その外縁部が遊技領域１０２の周縁部にぴったりと沿うように位置決めされ、上下両端部に貫通形成された取付孔２９（取付部）に挿通される取付ビス（図示せず）等の固定部材によって遊技盤１０１に固定されている。一方、入賞役物ユニット１０Ｌ，１０Ｒは、その外縁部が装飾役物ユニット２０Ｌ，２０Ｒの内縁部にぴったりと沿うように位置決めされ、上下両端部に貫通形成された取付孔１９（取付部）に挿通される取付ビス（図示せず）等の固定部材によって遊技盤１０１に固定されている。
【００３１】
そこで、普通入賞口１０９に遊技球が入球すると普通入賞状態となり予備抽選が行われる。その予備抽選の結果は、組合せ役物３０Ｌ，３０Ｒを構成する装飾役物ユニット２０Ｌ，２０Ｒの普通図柄表示部２２に普通図柄として確定表示（例えば○×のＬＥＤ停止表示）される。このとき、普通図柄表示部２２の確定表示が「当たり」（例えば○の停止表示）であると、始動入賞口１０５の羽根部材１０５ａを所定時間（例えば０．２秒間）開放する。そして、この間に遊技球が始動入賞口１０５に入球すると、賞球払出しが行われるとともに当否抽選が行われる。その当否抽選の結果は、液晶表示部１０４と特別図柄表示部２３とを用いて遊技者に報知される。具体的には、その一例として、液晶表示部１０４で演出表示（例えば各々０〜９からなる３桁の数字の変動表示）された後、特別図柄表示部２３に特別図柄として確定表示（例えば０〜９からなる１桁の数字の停止表示）される場合がある。このとき、特別図柄表示部２３の確定表示が「大当たり」（例えば７の停止表示）であると、大入賞口１０６を所定時間（例えば３０秒間）開放する。
【００３２】
このように、２種類の役物ユニットと接続ブロック４０とから、入賞役物ユニット１０Ｌ，１０Ｒ（図１参照）、装飾役物ユニット２０Ｌ，２０Ｒ（図３参照）及び組合せ役物３０Ｌ，３０Ｒ（図５参照）の３種の遊技機用役物を遊技盤１０１（遊技領域１０２の周縁部）に選択取付できるので、遊技盤１０１の仕様が３倍に増える。
【００３３】
さらに、入賞役物ユニット１０Ｌ，１０Ｒは、単独での取付形態において、その外縁部が遊技領域１０２の周縁部にぴったりと沿うように固定される（図１参照）。一方、組合せ役物３０Ｌ，３０Ｒとしての取付形態において、その外縁部が装飾役物ユニット２０Ｌ，２０Ｒの内縁部にぴったりと沿うように固定される（図５参照）。また、装飾役物ユニット２０Ｌ，２０Ｒは、単独での取付形態及び組合せ役物３０Ｌ，３０Ｒとしての取付形態のいずれにおいても、その外縁部が遊技領域１０２の周縁部にぴったりと沿うように固定される（図３、図５参照）。このように、入賞役物ユニット１０Ｌ，１０Ｒ、装飾役物ユニット２０Ｌ，２０Ｒ及び組合せ役物３０Ｌ，３０Ｒの３形態のいずれにおいても、これらと遊技領域１０２の周縁部（外縁）との間には隙間が形成されないので、遊技球の詰まり等を生じにくい。
【００３４】
（実施例２）
次に、図８は、図４（実施例１）に代わる左装飾役物ユニットを示す。左右装飾役物ユニット２０Ｌ’，２０Ｒ’（役物ユニット；第二の役物ユニット）には、外部へ突出する形態で１又は複数（例えば２本）の接続アーム２７’（接続部）が一体的に取付構成されている。
【００３５】
したがって、図９及び図１０に示すように、各組合せ役物３０Ｌ’，３０Ｒ’は、左右装飾役物ユニット２０Ｌ’，２０Ｒ’に一体構成された接続アーム２７’により、内側に位置する入賞役物ユニット１０Ｌ，１０Ｒ（役物ユニット；第一の役物ユニット）と外側に位置する装飾役物ユニット２０Ｌ’，２０Ｒ’とが組み合わせられ連結されて、入賞機能及び装飾・表示機能を備えている。具体的には、組合せ役物３０Ｌ’，３０Ｒ’は、接続アーム２７’に貫通形成された１又は複数（例えば各２個）の取付孔２８’（接続部）に挿通される取付ビス４９等の固定部材（接続部材；接続部）を、左右入賞役物ユニット１０Ｌ，１０Ｒの背面側ボス部に形成された１又は複数（例えば２個）のねじ孔１８（接続部）に螺合させることによって固定されている。
【００３６】
このように、入賞役物ユニット１０Ｌ，１０Ｒ（第一の役物ユニット）を標準仕様とし、装飾役物ユニット２０Ｌ’，２０Ｒ’（第二の役物ユニット）をオプション仕様（オプショナルパーツ）として設定することにより、入賞役物ユニット１０Ｌ，１０Ｒ（図１参照）及び組合せ役物３０Ｌ’，３０Ｒ’（図５参照）の２種の遊技機用役物を遊技盤１０１（遊技領域１０２の周縁部）に選択取付できるので、遊技盤１０１の仕様が２倍に増える。
【００３７】
さらに、入賞役物ユニット１０Ｌ，１０Ｒは、単独での取付形態において、その外縁部が遊技領域１０２の周縁部にぴったりと沿うように固定される（図１参照）。一方、組合せ役物３０Ｌ’，３０Ｒ’としての取付形態において、その外縁部が装飾役物ユニット２０Ｌ’，２０Ｒ’の内縁部にぴったりと沿うように固定される（図５参照）。また、装飾役物ユニット２０Ｌ’，２０Ｒ’は、組合せ役物３０Ｌ’，３０Ｒ’としての取付形態において、その外縁部が遊技領域１０２の周縁部にぴったりと沿うように固定される（図５参照）。このように、入賞役物ユニット１０Ｌ，１０Ｒ及び組合せ役物３０Ｌ’，３０Ｒ’の２形態のいずれにおいても、これらと遊技領域１０２の周縁部（外縁）との間には隙間が形成されないので、遊技球の詰まり等を生じにくい。
【００３８】
なお、実施例２（図８〜図１０）において実施例１（図１〜図７）と共通する機能を有する部分には同一符号を付して説明を省略する。
【００３９】
また、実施例１において、接続部は、入賞役物ユニット１０Ｌ，１０Ｒ又は装飾役物ユニット２０Ｌ，２０Ｒに、外部へ突出する位置と内部に収納される位置とに切換可能な形態で一体的に取付構成されていてもよい。さらに、実施例２では、接続部として実施例１に示す接続ブロック４０を用いてもよい。以上の実施例を通じ、図１、図３及び図５に示す遊技機用役物の取付態様において、入賞役物ユニット１０Ｌ，１０Ｒ、装飾役物ユニット２０Ｌ，２０Ｒ、組合せ役物３０Ｌ，３０Ｒ，３０Ｌ’，３０Ｒ’は、各々左右のいずれか一方のみを遊技盤１０１（遊技領域１０２内）に取り付けてもよい。同様に、左右で異なる遊技機用役物１０Ｌ，１０Ｒ，２０Ｌ，２０Ｒ，３０Ｌ，３０Ｒ，３０Ｌ’，３０Ｒ’を遊技盤１０１（遊技領域１０２内）に取り付けることもできる。
【図面の簡単な説明】
【００４０】
【図１】本発明を適用して遊技機用役物を遊技機の遊技盤に取り付ける態様の一例を示す正面図。
【図２】図１に示す左入賞役物ユニットの正面図、背面図及び斜視図。
【図３】本発明を適用して遊技機用役物を遊技機の遊技盤に取り付ける態様の他の例を示す正面図。
【図４】図３に示す左装飾役物ユニットの正面図、背面図及び斜視図。
【図５】本発明を適用して遊技機用役物を遊技機の遊技盤に取り付ける態様のさらに他の例を示す正面図。
【図６】図５に示す左組合せ役物の正面図、背面図及び斜視図。
【図７】図６に示す左組合せ役物の接続方法を説明する斜視図。
【図８】図４に代わる左装飾役物ユニットの正面図、背面図及び斜視図。
【図９】図８に示す左装飾役物ユニットを用いた左組合せ役物の正面図、背面図及び斜視図。
【図１０】図９に示す左組合せ役物の接続方法を説明する斜視図。
【符号の説明】
【００４１】
１０Ｌ      左入賞役物ユニット（役物ユニット；第一の役物ユニット）
１０Ｒ      右入賞役物ユニット（役物ユニット；第一の役物ユニット）
１１        入賞口（下部チャッカ）
１８        ねじ孔（接続部）
２０Ｌ      左装飾役物ユニット（役物ユニット）
２０Ｒ      右装飾役物ユニット（役物ユニット）
２１        発光部（発光手段）
２８        ねじ孔（接続部）
３０Ｌ      左組合せ役物（役物ユニット組合せ体）
３０Ｒ      右組合せ役物（役物ユニット組合せ体）
４０        接続ブロック（接続部材；接続部）
４８        取付孔（接続部）
２０Ｌ’    左装飾役物ユニット（役物ユニット；第二の役物ユニット）
２０Ｒ’    右装飾役物ユニット（役物ユニット；第二の役物ユニット）
２７’      接続アーム（接続部）
２８’      取付孔（接続部）
３０Ｌ’    左組合せ役物（役物ユニット組合せ体）
３０Ｒ’    右組合せ役物（役物ユニット組合せ体）
１００      パチンコ機（弾球遊技機；遊技機）
１０１      遊技盤
１０２      遊技領域
【図１】
2006110098.tif 000003
【図２】
2006110098.tif 000004
【図３】
2006110098.tif 000005
【図４】
2006110098.tif 000006
【図５】
2006110098.tif 000007
【図６】
2006110098.tif 000008
【図７】
2006110098.tif 000009
【図８】
2006110098.tif 000010
【図９】
2006110098.tif 000011
【図１０】
2006110098.tif 000012